(57)【特許請求の範囲】
【請求項１】
供給側接続筒体の先端部を受給側接続筒体の後端部に挿入して両筒体の流路を連通せしめるとともに該両筒体の接続状態を保持するロック手段を設けた流体継手であって、
該供給側接続筒体の先端部に挿入された摺動自在な供給側内筒と；該供給側内筒の両端面に形成された受圧面と；該供給側内筒の移動軌跡内に設けられ、該供給側内筒先端の弁部を閉鎖するストッパと；供給側内筒に設けた係止部と、該係止部に係合し、該受給側接続筒体内に挿入された摺動自在な受給側内筒の係合部とからなり、該供給側内筒を摺動せしめる開閉弁手段と；を備え、
該ロック手段が、該供給側接続筒体の外周に凹設された収容溝と；該受給側接続筒体にその半径方向に貫通して設けられた貫通孔と；該貫通孔に収容され、該両筒体の非接続時においては、該受給側内筒の外周面に当接し、該両筒体の接続時においては、該貫通孔から該収容溝に亘って収容されるロック部材と；該ロック部材の移動を該受給側接続筒体の外周側より規制する如く該受給側接続筒体の外周側に設けられた摺動自在な筒状の押さえ部材と；からなることを特徴とする流体継手。
【発明の詳細な説明】
【０００１】
【産業上の利用分野】
この発明は、流体継手であって、供給側接続体に弁部を備えた流体継手に関するものであり、例えば、火災時に用いられる消火用ホースや放水銃などの消火水の給水用のジョイントとして利用される。
【０００２】
【従来の技術】
従来の流体継手においてその筒状の供給側接続体に弁部を備えたものは、例えば図３にその概略を示す様に、筒状の供給側接続体１００内にシャフト部１０１により摺動自在に設けられた弁部材１０２を設け、該弁部材１０２の摺動軌跡に臨み、且つ該弁部材１０２の先端の弁部１０３を閉鎖するストッパー部１０４を接続体１００の先端に設け、受給側接続体１０５に、前記弁部材１０２を供給側接続体１００の後端側に押圧する押圧部材１０６を設けてなるものである。
【０００３】
この供給側接続体１００と受給側接続体１０５を接続すると、押圧部材１０６が弁部材１０２を押圧し、弁部材１０２は供給側接続体１００の後端側に摺動し、該弁部材１０２の先端の弁部１０３が開かれる。これにより両接続体１００、１０５内の流路が連通する。しかしながら、弁部材１０２はその受圧面１０２ａで供給側接続体の後端側より先端１００Ａ側に向かう流体圧力Ｐを受圧しているので、弁部１０３を開く際には、該流体圧力Ｐが反力として作用する。このため、弁部１０３の開弁操作は困難なものとなる。
【０００４】
特に大流量の流体継手の場合、弁部材１０２の受圧面１０２ａはその面積が大きくなるので、弁部１０３を開く際に反力として作用する流体圧力Ｐも大きくなる。したがって、弁部１０３を開くのに必要となる弁部材１０２を押し動かす力もさらに大きなものとなる。このため、流体の流量が大きくなればなる程、弁部１０３の開弁操作に要する力が大きくなるので、その開弁操作は非常に困難なものとなる。
【０００５】
なお、この継手の場合、供給側接続体１００と受給側接続体１０５との接続状態を保持するロック手段を別途設ける必要がある。
【０００６】
図４に示す従来例は、流体継手のロック手段の一例を示すものであり、一方の接続体２００の接続側端部に爪部２０１を備えた押さえ部材２０２を設け、他方の接続体２０３の接続側端部に係合部２０４を設け、該接続体２０３に摺動自在な押し上げ部材２０５を設けて、この接続体２００に、その爪部２０１を接続体２０３の接続側端部により押し上げつつ該接続体２０３を挿入し、係合部２０４に爪部２０１が係合するまで挿入する。これにより、両接続体２００、２０３の接続状態がロックされる。このロック状態を解除し、接続体２００から接続体２０３を取り外すには、接続体２０３に設けられた押し上げ部材２０５を接続側に摺動させ、その先端で爪部２０１を押し上げつつ、係合部２０４と爪部２０１との係合状態を解除して行なう。
【０００７】
従来例においては、上述の通り継手における接続体の接続や取り外しの際には爪部２０１を接続体２００の先端又は押し上げ部材２０５により一旦押し上げて操作する必要がある。特に取り外しの操作のときには、押し上げ部材２０５により爪部２０１を押し上げてその状態を保持しつつ操作しなけれならないので、その操作は煩雑なものとなる。この操作を容易に行なえるようにするには、爪部２０１を簡単に押し上げることができるようにすればよいが、そのようなことをすれば係合部２０４と爪部２０１との係合状態を不確かなものとしてしまう。そこで一般的には爪部２０１と係合部２０４との係合状態を確かなものとするためには、爪部２０１が簡単に押し上がらないようにしている。しかし、ここで問題となるのが、大流量の流体継手の場合である。即ち、大流量の継手の場合、継手自体が大きくなるので、押さえ部材２０２の爪部２０１を押し上げるには相当の力を要することとなるので、接続体の接続や取り外しの操作は非常に困難なものとなる。
【０００８】
【発明が解決しようとする課題】
この発明は、上記事情に鑑み、大流量の流体継手であっても、その供給側接続体における弁部の開弁動作を簡単に行なうことのできる流体継手を得ることをその目的する。
又、この発明は、流体継手における接続体の接続や取り外しの操作を容易に行なうことのできる流体継手を得ることをその目的とする。
【０００９】
【課題を解決するための手段】
【００１０】
上記目的を達成するこの発明の流体継手は、供給側接続筒体の先端部を受給側接続筒体の後端部に挿入して両筒体の流路を連通せしめるとともに該両筒体の接続状態を保持するロック手段を設けた流体継手であって、該供給側接続筒体の先端部に挿入された摺動自在な供給側内筒と；該供給側内筒の両端面に形成された受圧面と；該供給側内筒の移動軌跡内に設けられ、該供給側内筒先端の弁部を閉鎖するストッパと；供給側内筒に設けた係止部と、該係止部に係合し、該受給側接続筒体内に挿入された摺動自在な受給側内筒の係合部とからなり、該供給側内筒を摺動せしめる開閉弁手段と；を備え、該ロック手段が、該供給側接続筒体の外周に凹設された収容溝と；該受給側接続筒体にその半径方向に貫通して設けられた貫通孔と；該貫通孔に収容され、該両筒体の非接続時においては、該受給側内筒の外周面に当接し、該両筒体の接続時においては、該貫通孔から該収容溝に亘って収容されるロック部材と；該ロック部材の移動を該受給側接続筒体の外周側より規制する如く該受給側接続筒体の外周側に設けられた摺動自在な筒状の押さえ部材と；からなる流体継手である。
【００１１】
【作用】
非接続時における供給側接続筒体においては、該供給側接続筒体内に挿入される供給側内筒の両端に形成された受圧面には、該内筒の軸心に平行に夫々の受圧面に互いに対向して作用する流体圧力が同じ圧力で作用しており、その両端の受圧面に作用する流体圧力が互いに打ち消し合ってバランスがとれているので、該供給側内筒の受圧面に該内筒の軸方向に作用する流体圧力は殆ど無いに等しい状態となる。また、このときの弁部は、該弁部の閉弁手段により閉状態、即ち供給側内筒の先端がストッパー部に当接する状態に保持されている。
【００１２】
一方、非接続時における受給側接続筒体においては、貫通孔に収容された球体は、該貫通孔と、押さえ部材と、受給側内筒と、によりその移動が規制されている。
【００１３】
供給側接続筒体を受給側接続筒体に挿入して両者を接続すると、供給側接続筒体においては、供給側内筒の弁部が開弁手段により開状態となり、即ち、供給側内筒が該供給側内筒の後端側に摺動し、該供給側内筒の先端がストッパー部から離れる状態となる。一方受給側接続筒体においては、受給側内筒が該受給側内筒の先端側に摺動し、該受給側内筒による球体の移動の規制が解かれる。
【００１４】
ここで前記貫通孔の位置に収容溝が達すると該球体は該収容溝に向けて移動し、貫通孔から収容溝に亘って収容される。このとき、押さえ部材はその後端側に摺動しており、該球体は貫通孔から収容溝に亘って収容された状態を該押さえ部材により保持される。これで該球体の移動が規制されると、供給側接続筒体の移動も規制され、受給側接続筒体との接続状態が保持される如くロックされる。
【００１５】
供給側接続筒体と受給側接続筒体とが接続され、供給側接続筒体の弁部が開弁状態となると、供給側接続筒体内の流路と受給側接続筒体内の流路とが連通し、供給側接続筒体内の流体は受給側接続筒体内へと流れる。
【００１６】
逆に、上述の如く受給側接続筒体内に供給側接続筒体が挿入されて接続された流体継手における両接続筒体を取り外すには、該両接続筒体のロック状態を解除して取り外すことのできる状態にすればよい。このロック状態の解除は、前記押さえ部材をその後端側に摺動させることのみにより行なえる。この押さえ部材をその後端側に摺動させることにより、該押さえ部材と球体の当接状態が解除され、該押さえ部材により規制されていた該球体の移動規制が解かれる。これにより、該球体が貫通孔から収容溝に亘って収容されている状態を保持できなくなり、供給側接続筒体の移動規制が解かれ、該供給側筒体と係合され移動規制されていた受給側内筒がその後端側に移動し、該受給側内筒の移動により該供給側接続筒体はその後端側に押し動かされる。このとき、該供給側接続筒体がその後端側に移動すると該供給側接続筒体の収容溝に収容されている球体は該収容溝に押されて貫通孔にガイドされつつ受給側接続筒体の外周側に向けて移動する。また、該供給側接続筒体がその後端側に移動すると、該供給側内筒はその移動規制が解かれるので弁部を閉じる如くその先端側にストッパーに当接するまで移動する。これにより、供給側接続筒体と受給側接続筒体との接続のロック状態が解除され、両筒体を取り外すことができる。
【００１７】
【実施例】
この発明の実施例を図１乃び図２に基づいて説明する。なお、図面中同一の符号を付したものはその名称も機能も同じである。
【００１８】
１は、流体継手Ｊにおける供給側接続筒体であり、該供給側接続筒体１の内部に形成された流路２と、該供給側接続筒体１の先端部に挿入された摺動自在な供給側内筒３と、該供給側内筒３の移動軌跡内に設けられ、且つ該供給側内筒３の先端に形成された弁部４を閉鎖する如く設けられたストッパー部５と、該供給側内筒３を、その先端側に付勢する、即ち、弁部４を閉弁方向に付勢する如く設けられたバネ部材１０と、後述する受給側接続筒体２０内に挿入された受給側内筒２３の係合部２６が係合する係止部として供給側内筒３の外周面より突出して設けられた突部１５と、同じく後述する受給側接続筒体２０の球体２２が収容され、供給側接続筒体１の外周に該筒体１の半径方向に凹設された収容溝１１と、からなる。なお、該ストッパー５は、そのシャフト部６が該内筒３及び供給側接続筒体１内に挿入され、固定部７により供給側接続筒体１に固定されている。
【００１９】
また、供給側接続筒体１と内筒３との当接部分には、該供給筒体１内の流体を外部に漏らさない様にするために、シール部１３が設けられており、ストッパー部５には、弁部４を構成する内筒３の先端が当接する部分に、シール部１２が設けられている。
【００２０】
該供給側接続筒体１内に挿入される供給側内筒３は、その両端面に流路２に臨む受圧面８、９が形成されている。この受圧面８、９は、供給側内筒３の軸心に平行で互いに対向する如く夫々の受圧面８、９に作用する流体圧力を夫々の面が受ける如く形成されている。即ち、受圧面８は供給側接続筒体１の先端側より後端側に向かう圧力Ｐ１を受圧し、受圧面９は供給側接続筒体１の後端側より先端側に向かう圧力Ｐ２を受圧する如く形成されている。本実施例においては、この受圧面８、９で受圧する流体圧力Ｐ１、Ｐ２が同じくなる様に該受圧面８、９は形成されており、該受圧面８、９に作用する流体圧力は互いに打ち消し合ってバランスがとれている。このため、該供給側内筒３の両端に形成される受圧面８、９に該内筒３の軸心と平行に作用する流体圧力は殆ど無いに等しい状態となる。
【００２１】
なお、この供給側内筒３をその先端よりも後端の方が径が大きくなる如く形成し、受圧面９の方がその受圧面積が大きくなる様にしてもよい。この場合は、受圧面９の方が受圧面積が大きいので、供給側内筒３の両端に作用する力は、その差圧分だけ流体圧力Ｐ２の方が大きいこととなる。この様にすることで、該供給側内筒３の先端に形成される弁部４がストッパー５により押し付けられるので、シール部１３のシール作用を向上させることができる。
【００２２】
該供給側内筒３の先端には上述の通り弁部４が設けられいる。この弁部４の開閉動作は供給側内筒３が摺動することにより行なわれる。供給側内筒３は上述の通りバネ部材１０により閉弁方向、即ちその後端側より先端側に向かう方向に付勢されており、該供給側内筒３に先端側より後端側に向かう方向に力がかからない限り、その先端は弁部４を閉鎖する如くストッパー部５と当接する位置にあり、弁部４は閉状態に保持されている。
【００２３】
該弁部４を開弁するには該供給側内筒３を後端側に摺動させればよいが、この開弁操作に際しては、上述の通り供給側内筒３の両端面８、９に作用する該内筒３の軸心に平行に作用する流体圧力が殆ど無いに等しい状態にあるため、弁部４の開弁方向に該内筒３を摺動させても、流体圧力がその摺動動作に対する反力として作用することはない。
【００２４】
なお、受圧面９に作用する流体圧力の方が大きくなるようにする場合でも、供給側内筒３の開弁方向への摺動動作に対して反力として作用する流体圧力は該内筒３の両端に係る流体圧力の差圧分だけなので、それが大きな反力として作用することはない。
【００２５】
この開弁方向に摺動した該供給側内筒３は、ストッパー部１４がその摺動軌跡上に位置する如く供給側接続筒体１の内周面より突出して設けられているので、開弁方向に摺動した供給側内筒３はここで係止する。
【００２６】
一方受給側接続筒体２０は、該受給側接続筒体２０内に形成される流路３０と、該受給側接続筒体２０に複数設けられた該受給側接続筒体２０を半径方向に貫通する貫通孔２１と、該貫通孔２１に収容されるロック部材としての球体２２と、該受給側接続筒体２０内に挿入される摺動自在な受給側内筒２３と、前記供給側接続筒体１の内筒３の突部１５と係合する如く該受給側内筒２３に設けられた係合部２６と、該受給側接続筒体２０の外周に設けられた摺動自在な筒状の押さえ部材２４と、該受給側内筒２３をその後端側に付勢する如く設けられたバネ部材２５と、該筒状押さえ部材２４をその後端側に付勢する如く設けられたバネ部材２７と、からなる。
【００２７】
なお、３１、３２は、該受給側筒体２０に供給側接続筒体１が接続さた際に外部に流体が漏れないようにするためのシール部である。
【００２８】
該球体２２は上述の如く貫通孔２１内に収容されるが、ここで該球体２２は、その一部、好ましくはその半分を該筒体２０の外周側に露出させる如く収容されている。該球体２２の露出した部分に押さえ部材２４の傾斜面２８ａを備えた断面略く字状の係合部２８が係合し、該押さえ部材２４がここで係止される。又、該球体２２に対しては、該筒体２０の内周側から受給側内筒２３の外周面が当接している。したがって、該球体２２は、該貫通孔２１の内側面と、該係合部２８と、該受給側内筒２３の外周面とにより、その移動が規制される。
【００２９】
なお、該断面く字状の係合部２８は、その傾斜面２８ａが該球体２２と係合することにより、該傾斜面２８ａを介して該球体２２に作用するバネ部材２７の付勢力は、該球体２２を貫通孔２１にガイドされつつ該筒体２０の内周側に移動させる如く作用している。しかしながら、上述の通り、該筒体２０の内周側からは該内筒２３の外周面が該球体２２の移動を規制しているので、該球体２２が移動することはない。
【００３０】
該押さえ部材２４は、球体２２と係合することにより係止されるが、球体２２との係合状態が解かれると、ストッパー部２９により係止されるまで摺動する。
【００３１】
上述の供給側接続筒体１と受給側接続筒体２０とからなる流体継手Ｊを接続する際は、供給側接続筒体１を受給側接続筒体２０内に挿入して接続する。受給側接続筒体２０に供給側接続筒体１が挿入されると、先ず、供給側内筒３の突部１５と受給側内筒２３の係合部２６とが係合し、該供給側内筒３と受給側内筒２３は夫々その係合する側とは反対の方向に向けて摺動を始め、供給側内筒３の先端に形成される弁部４が開放し始める。このとき該供給側内筒３の摺動動作に対しては、上述の如く該供給側内筒３の両端に作用する流体圧力が反力として作用することがないので、該供給側内筒３を摺動させる如く該供給側筒体１を挿入する操作は容易に行なわれる。なお、ここで該供給側内筒３の摺動により、弁部４が開放し始めたとしても、流体は慣性によりほんのしばらく出ないでいる。
【００３２】
さらに供給側接続筒体１が挿入され、供給側内筒３及び受給側内筒２３が夫々さらに摺動すると、受給側内筒２３の外周面と球体２２とが離れ、収容溝１１が貫通孔２１の位置に達する。該球体２２は、収容溝１１が貫通孔２１の位置に達すると、その収容溝１１側に貫通孔２１にガイドされつつ移動して、その一部、好ましくはその半分程が収容溝１１側に、残りが貫通孔２１側に位置する状態で、該貫通孔２１から該収容溝に亘って収容される。該球体２２が貫通孔２１から該収容溝１１に亘って収容されると、該球体２２と筒状押さえ部材２４の係合部２８との係合状態が解かれ、該押さえ部材２４はバネ部材２７により受給側接続筒体２０の後端側にストッパー部２９で係止するまで摺動し、貫通孔２１は該押さえ部材２４の内周面により蓋されるが如き状態となり、該内周面と球体２２とが当接する。該球体２２は、上述の如く収容されるとその移動が収容溝１１と貫通孔２１と押さえ部材２４の内周面とにより規制されるので、この状態が保持される限り該球体２２は移動することはない。該球体２２がその状態に保持されていると、供給側筒体１は、その収容溝１１に収容された該球体２２によりその移動が規制されているので、該球体２２が移動しない限り移動することはない。これにより、該供給側接続筒体１が受給側接続筒体２０に挿入されて接続された状態が保持されるロック状態が達成される。
【００３３】
また、このとき該供給側内筒３はストッパー部１４により係止されるまで摺動しており、該供給側内筒３と係合する受給側内筒２３はストッパー部３４により係止されるまで摺動している。これで該供給側内筒３の閉弁方向の移動は該受給側内筒２３により規制され、該受給側内筒２３のその方向への移動はストッパー部３４によって規制されており、その状態は、供給側接続筒体１と受給側接続筒体２０とがロック状態にある限り保持される。したがって、供給側接続筒体１と受給側接続筒体２０との接続状態がロックされている限り、弁部４は常時開弁状態に保持されている。
【００３４】
該弁部４が開状態にあると、該供給側接続筒体１内の流路２と受給側接続筒体２０内の流路３０とが連通し、流体は矢印Ａ１の如く供給側接続筒体１から受給側接続筒体２０に流れる。このとき、弁部４は十分に開いているので、流体が通過する部分は大きいので、それほど流体の圧力損失は大きくはない。
【００３５】
なお、弁部４を通過する流体による反力が供給側接続筒体１を受給側接続筒体２０から押し出す方向に作用するが、上述の通り、既にロック状態が達成されているので、それによって該筒体１が押し出されることはない。
【００３６】
逆に、上述の如く受給側接続筒体２０内に供給側接続筒体１が挿入されて接続された流体継手Ｊにおける両接続筒体１、２０を取り外すには、該両接続筒体１、２０のロック状態を解除して取り外すことのできる状態にすればよい。このロック状態の解除は、前記押さえ部材２４をその後端側に摺動させることのみにより行なえる。この押さえ部材２４をロック状態を解除する如く移動させることにより、ロック状態にあることにより移動規制されていたバネ部材により付勢されている部材がそのバネ部材の付勢力により接続前の状態に自動的に戻る。即ち、該押さえ部材２４が後端側に摺動され、該押さえ部材２４の内周面と球体２２との当接状態が解除されると、該押さえ部材２４により規制されていた該球体２２の移動規制が解かれて、該球体２２が貫通孔２１から収容溝１１に亘って収容される状態を保持できなくなってしまう。その状態が保持されなくなると、供給側接続筒体１の移動規制が解かれ、該供給側筒体１と係合され移動規制されていた受給側内筒２３のバネ部材２７の作用により、受給側内筒２３がその後端側に移動し、該受給側内筒２３の移動により該供給側接続筒体１はその後端側に押し動かされる。このとき、該供給側接続筒体１がその後端側に移動すると該供給側接続筒体１の収容溝１１に収容されている球体２２は該収容溝１１の傾斜面１６に押されて貫通孔２１の内側面にガイドされつつ受給側接続筒体２０の外周側に向けて移動し、貫通孔２１よりその一部が該筒体２０の外周側に露出する。また、該供給側接続筒体１がその後端側に移動すると、該供給側内筒２はその移動規制が解かれるのでその先端側に移動し、弁部４を閉じる如くストッパー５に当接するまで移動する。また、押さえ部材２４は上述の如く移動した球体２２の貫通孔２１より露出する部分にその先端の断面く字状の係合部２８が係合して係止する。これにより、供給側接続筒体１と受給側接続筒体２０との接続のロック状態が解除され、両筒体１、２０を取り外すことができる。
【００３７】
本願発明の流体継手Ｊは、例えば、消火ホースの給水ジョイントとして使用される。この場合、例えば、その図示は省略するが、消火栓側に供給側接続筒体１を設け、消火ホースの受給側に受給側接続筒体２０を設けて、両者を接続して使用する。
【００３８】
又、本願発明の流体継手Ｊは、図示は省略するが、１００メートル級の放水銃などの給水ジョイントとして使用するのに適している。
【００３９】
【発明の効果】
本願発明に作用する流体継手は、上述の通りであり、供給側接続筒体における弁部の開弁は該供給側接続筒体の供給側内筒を摺動させることにより行なうが、該供給側内筒はその両端面に形成された受圧面において軸方向で互いに対向する流体圧力を受圧しているので、大流量の流体継手で流体圧力自体が大きくなったとしても、該流体圧力は互いに打ち消し合うので、該供給側内筒の摺動動作に対して反力として作用する流体圧力は無いに等しいか又は打ち消し合う流体圧力の差圧分だけが作用するに過ぎないので、該供給側内筒を摺動動作によって行なう弁部の開弁を容易に行なうことができる。
【００４０】
又、弁部の開弁は、供給側接続筒体と受給側接続筒体との接続操作に連動して行なわれる。供給側接続筒体と受給側接続筒体とが接続され、その状態が保持されると、弁部の開弁状態も併せて保持されるので、接続状態にあるときは弁部は常に開弁状態にある。供給側接続筒体と受給側接続筒体との取り外しの際には、その取り外し操作に連動して弁部も閉弁状態になる。したがって、本発明における弁部の開閉は接続筒体の接続操作に連動して行なわれるので、弁部の開閉動作を容易に行なうことができる。
【００４１】
さらに、供給側接続筒体と受給側接続筒体との接続の際には、従来例のように爪部を押し上げる様な操作は必要なく、受給側内筒を付勢するバネ部材と供給側内筒を付勢するバネ部材の弾力に勝る力が、受給側内筒及び供給側内筒に作用する如く受給側接続筒体に供給側接続筒体が挿入され、所定のところまで挿入されたときに接続状態がロックされるので、従来に比してより容易にその接続操作を行なうことができる。
【００４２】
さらにまた、供給側接続筒体と受給側接続筒体との取り外しの際には、従来例の様に爪部を押し上げる操作は必要なく、押さえ部材をその後端側に摺動させるだけでよく、これにより受給側内筒がバネ部材により接続前の位置に戻る如く摺動するのに連動して、供給側接続筒体は受給側接続筒体より押し出される如く移動するので、従来例に比して容易にその取り外し操作を行なうことができる。
【図面の簡単な説明】
【図１】本願発明の実施例の流体継手の接続前の状態の一部断面正面図である。
【図２】本願発明の実施例の流体継手の接続時の状態の一部断面正面図である。
【図３】従来例の弁部を備えた流体継手の断面図である。
【図４】従来例の流体継手の断面図である。
【符号の説明】
Ｊ    流体継手
１    供給側接続筒体
２    流路
３    供給側内筒
４    弁部
５    ストッパー
８    受圧面
９    受圧面
１０  バネ部材
１１  収容溝
１５  突部
２０  受給側接続筒体
２１  貫通孔
２２  球体
２３  受給側内筒
２４  押さえ部材
２５  バネ部材
２６  係合部
【図１】
0003572709.tif 000002
【図２】
0003572709.tif 000003
【図３】
0003572709.tif 000004
【図４】
0003572709.tif 000005